(57)【特許請求の範囲】
【請求項１】
揺動選別板１５の排出側に対向して、その上部には揺上側から揺下側に移動調節することのできる玄米仕切板１８を設け、その下部には、揺上側方向に下り傾斜の玄米流路２１及び揺下側方向に下り傾斜の混合米流路２３の上端部を接合した穀粒取出樋２８を配置し、玄米仕切板１８の下端部には、玄米仕切板１８の下端部に枢支されていて、且つ、玄米仕切板１８の揺上側に仕切った穀粒を揺上側に流下案内する玄米揺上側案内板２０ａと、玄米仕切板１８の下端部に固定的に取り付けられていて、且つ、玄米仕切板１８の揺下側に仕切った穀粒を揺下側に流下案内する混合米揺下側案内板２０ｂと、混合米揺下側案内板２０ｂの下端部に枢支されていて、且つ、穀粒を揺下側に流下案内する第２混合米揺下側案内板２０ｃとからなる穀粒案内板２０を取り付け、玄米仕切板１８が最揺上側に移動して揺動選別板１５の揺上側端部よりも揺上側に位置した状態において、混合米揺下側案内板２０ｂ，第２混合米揺下側案内板２０ｃで穀粒全量を前記混合米流路２３に案内できる構成としたことを特徴とする揺動選別装置の穀粒仕切り装置。
【発明の詳細な説明】
【０００１】
【発明の属する技術分野】
この発明は、揺動選別装置の穀粒仕切り装置に関するものである。
【０００２】
【従来の技術】
従来装置は、図６に示すように、揺動選別板１５の排出側に対向して、その上部には玄米仕切板１８を、その下部には、揺上側方向に下り傾斜の玄米流路２１及び揺下側方向に下り傾斜の混合米流路２３が配置されていて、揺下側に下り傾斜の玄米流路２１の中途部下面に、揺上側に下り傾斜の玄米流路２１の上端部を接合した構成である。
【０００３】
【発明が解決しようとする課題】
前記従来装置にあっては、玄米仕切板１８を広幅仕切り位置に移動した高能率作業時には、玄米仕切板１８の下端部に枢支されていて且つ玄米を揺上側に案内する玄米揺上側案内板２０ａが比較的揺上側に位置している混合米流路２３の傾斜上端部に当接支持されて緩傾斜となり、玄米が玄米流路２１側に円滑に流下せず、その一部が混合米流路２３側に落下することがあり、選別能率が向上しないという問題点があった。
【０００４】
【課題を解決するための手段】
この発明は、このような問題点を解決するために、次の技術的手段を講じた。即ち、この発明は、揺動選別板１５の排出側に対向して、その上部には揺上側から揺下側に移動調節することのできる玄米仕切板１８を設け、その下部には、揺上側方向に下り傾斜の玄米流路２１及び揺下側方向に下り傾斜の混合米流路２３の上端部を接合した穀粒取出樋２８を配置し、玄米仕切板１８の下端部には、玄米仕切板１８の下端部に枢支されていて、且つ、玄米仕切板１８の揺上側に仕切った穀粒を揺上側に流下案内する玄米揺上側案内板２０ａと、玄米仕切板１８の下端部に固定的に取り付けられていて、且つ、玄米仕切板１８の揺下側に仕切った穀粒を揺下側に流下案内する混合米揺下側案内板２０ｂと、混合米揺下側案内板２０ｂの下端部に枢支されていて、且つ、穀粒を揺下側に流下案内する第２混合米揺下側案内板２０ｃとからなる穀粒案内板２０を取り付け、玄米仕切板１８が最揺上側に移動して揺動選別板１５の揺上側端部よりも揺上側に位置した状態において、混合米揺下側案内板２０ｂ，第２混合米揺下側案内板２０ｃで穀粒全量を前記混合米流路２３に案内できる構成としたことを特徴とする揺動選別装置の穀粒仕切り装置の構成とした。
【０００５】
【作用】
玄米仕切板１８を幅広の仕切り位置に移動させた高能率時にも、玄米仕切板１８側の玄米揺上側案内板２０ａと玄米流路２１・混合米流路２３の上端接合位置が比較的近い位置にあるため、玄米揺上側案内板２０ａを比較的急傾斜にできて、玄米仕切板１８の揺上側に仕切られた玄米を円滑に玄米流路２１に流下案内することができる。
【０００６】
また、作業終了時には、玄米仕切板１８を揺動選別板１５の揺上側端部よりも更に揺上側に移動することにより、揺動選別板１５の揺上側に分布した穀粒全量を玄米仕切板１８の揺下側に仕切ることができて、混合米揺下側案内板２０ｂ，第２混合米揺下側案内板２０ｃで混合米流路２３まで案内し籾摺部１に還元できるので、作業終了時の穀粒処理を迅速に行うことができる。
【０００７】
【発明の効果】
この発明は、前記のように、玄米を幅広く仕切る高能率選別時に玄米を円滑に機外に取り出すことができると共に、作業終了時の穀粒処理を迅速に行うことができる。
【０００８】
【発明の実施の形態】
以下、図面に示すこの発明の実施例について説明する。
まず、図１〜図４に基づき、籾摺選別機の全体構成について説明する。
籾摺選別機は、籾摺をする籾摺部１，籾摺部１からの摺落米を風選する摺落米風選部２，摺落米風選部２での風選後の混合米を籾・玄米に分離選別する揺動選別部３，混合米揚穀機４及び玄米揚穀機５等により構成されている。
【０００９】
籾摺部１は、上部の籾ホッパ６，籾摺ロ−ル７，７の内装されている籾摺室８等で構成されている。摺落米風選部２は、摺落米風選箱９，摺落米風選路１０，粃受樋１１，摺落米受樋１２，吸引フアン１３，排塵筒１４等により構成されている。
次に、揺動選別部３について説明する。
【００１０】
多段の揺動選別板１５，１５，…には、板面に選別用の凹凸あるいは選別凸条が形成されていて、縦方向の一側を高い供給側、他側を低い排出側とし、縦方向に直交する横方向（図１の左右方向）の一方側を高い揺上側、反対側を低い揺下側として、揺動選別板１５の縦横２方向ともに傾斜した構成とし、揺動選別板１５，１５，…は揺動アーム，揺動リンク等から構成されている揺動装置で、横方向斜め上下に往復揺動される構成である。
【００１１】
この揺動選別板１５，１５，…の供給側には供給口が構成されていて、混合米揚穀機４で揚穀された混合米が、混合米ホッパ２４，分配供給樋１６及び分配ケース１７を経由して、供給口から供給される構成である。揺動選別板１５，１５，…に供給された混合米は、粒形の大小，比重の大小，摩擦係数の大小等の関係で、比重の重い小形の玄米は揺上側に偏流分布し、また、玄米に比較して大きく比重の軽い籾は、揺下側に偏流分布し、また、その中間部には分離されない籾・玄米の混合米が偏流分布しながら選別される。しかして、これらの選別穀粒は、揺動選別板１５の排出側に設けられている玄米仕切板１８及び籾仕切板１９で仕切られて取り出される。
【００１２】
取り出された玄米は、穀粒案内板２０，玄米流路２１，玄米揚穀機５を経て機外に取り出され、また、混合米は混合米取出樋２２，混合米流路２３，摺落米受樋１２，混合米揚穀機４，混合米ホッパ２４，分配供給樋１６，分配ケース１７を経て、揺動選別板１５，１５，…に供給されて再選別される。また、取り出された籾は、籾取出樋２５，籾流路２６，籾揚穀機２７を経て籾摺部１に揚穀還元されて、再度の籾摺がなされる構成である。
【００１３】
次に、籾摺選別機の作用について説明する。
籾摺作業をする場合には、籾摺部１の籾ホッパ６に籾を供給し、機体の回転各部を駆動する。次いで、籾ホッパ６から籾摺ロール７，７に籾を供給して籾摺し、摺落米は下方の摺落米風選路１０に供給される。すると、軽い籾殻は吸引フアン１３，排塵筒１４を経て機外に排出され、比較的軽い粃粒は粃受樋１１に落下選別され、重い玄米及び籾の混合米は、摺落米受樋１２に落下選別される。
【００１４】
しかして、選別された混合米は、混合米揚穀機４で揚穀され、混合米ホッパ２４，分配供給樋１６及び分配ケース１７を経て、揺動選別板１５，１５，…に供給される。揺動選別板１５が横方向斜上下に往復揺動されると、混合米は、粒形の大小、比重の大小、摩擦係数の大小等の関係で、小形で比重の重い玄米は揺上側に偏流分布し、また、玄米に比較して大形で比重の軽い籾は揺下側に偏流分布し、また、その中間部には分離されない混合米が偏流分布しつつ選別される。
【００１５】
揺動選別板１５，１５，…の排出側に偏流分布した選別穀粒は、玄米仕切板１８及び籾仕切板１９で仕切られ、玄米は穀粒案内板２０，玄米流路２１及び玄米揚穀機５を経て機外に取り出され、また、混合米は混合米取出樋２２，混合米流路２３，混合米揚穀機４，混合米ホッパ２４，分配供給樋１６及び分配ケ−ス１７を経て、揺動選別板１５に循環供給されて再選別され、また、籾は籾取出樋２５，籾流路２６及び籾揚穀機２７を経て籾摺部１に還元されて、再度の籾摺がなされる。
【００１６】
次に、図５に基づき揺動選別板１５，１５，…の排出側に対向して設けられている穀粒取出部の構成について説明する。
揺動選別板１５，１５，…の排出側に対向して、その上部には玄米仕切板１８及び籾仕切板み１９を配置し、その下部には、穀粒取出樋２８を配置している。この穀粒取出樋２８は、横方向（図５の左右方向）の揺下側に向けて上がり傾斜の玄米流路２１、及び、揺上側に向けて上がり傾斜の混合米取出樋２３で構成されていて、玄米流路２１及び混合米流路２３の傾斜上端部を接合して穀粒分岐点とし、混合米流路２３の傾斜下端側を摺落米受樋１２に連通している。
【００１７】
また、玄米仕切板１８の下端部には、仕切られた穀粒を揺上側あるいは揺下側に案内する穀粒案内板２０を取り付けている。この玄米案内板２０は、玄米仕切板１８の下端部に枢支されていていて、玄米仕切板１８の揺上側に仕切った玄米を揺上側に流下案内する玄米揺上側案内板２０ａと、玄米仕切板１８の下端部に固定的に取り付けられていて玄米仕切板１８の揺下側に仕切った混合米を揺下側に流下案内する混合米揺下側案内板２０ｂと、混合米揺下側案内板２０ｂの傾斜下端部に枢支されていて、混合米を揺下側に流下案内する第２混合米揺下側案内板２０ｃと、により構成されている。
【００１８】
そして、玄米仕切板１８が最も揺上側に移動して、揺動選別板１５の揺上側端部よりも揺上側に位置し、揺動選別板１５の揺上側に分布した全穀粒を玄米仕切板１８で揺下側（左側）に仕切ることができる状態にすると、混合米揺下側案内板２０ｂ及び第２混合米揺下側案内板２０ｃが最長の状態となり（実線で示す状態）、玄米流路２１と混合米流路２３との分岐点に、第２混合米揺下側案内板２０ｃの下面部が支持される。しかして、玄米仕切板１８の揺下側（左側）で仕切られた穀粒全量を混合米流路２３に流下案内できる構成であり、この状態では玄米揺上側案内板２０ａは垂下状態となる。
【００１９】
また、玄米仕切板１８を二点鎖線で示す中間位置である混合米流路２３の傾斜上端部上方へ位置させて、玄米を幅広く仕切り選別能率を高めた状態では、玄米揺上側案内板２０ａの下端が玄米流路２１の上部側に接触して比較的急傾斜を保持し、仕切られた玄米を玄米流路２１側に円滑に案内し、また、混合米揺下側案内板２０ｂ及び第２混合米揺下側案内板２０ｃで混合米を混合米流路２３側に流下案内する構成である。
【００２０】
従来装置は図６に示すように、玄米流路２１及び混合米流路２３で穀粒取出樋２８を構成するにあたり、玄米流路２１の上端部よりも混合米流路２３の傾斜上端部を揺上側に位置させていたので、選別能率を上げて玄米仕切板１８を幅広く仕切ると、玄米揺上側案内板２０ａが緩傾斜となり、玄米が円滑に玄米流路２１に流下案内され、混合米流路２３側に落下することがあり、選別能率が向上しないという問題点があった。
【００２１】
しかし、前記のように構成したので、玄米仕切板１８で幅広く玄米を仕切る高能率作業時にも、玄米仕切板１８の下端に取り付けられている玄米揺上側案内板２０ａを急傾斜にして玄米を玄米流路２１側に円滑に案内することができて、従来装置の欠点を解消できる。また、玄米仕切板１８を揺動選別板１５の揺上側端部よりも更に揺上側に移動して、揺動選別板１５の揺上側に分布した穀粒全量を、玄米仕切板１８の揺下側に仕切り、混合米揺下側案内板２０ｂ，第２混合米揺下側案内板２０ｃで混合米流路２３まで案内して籾摺部１に還元することができて、作業終了時の穀粒処理を迅速に行うことができる。
【００２２】
なお、図７に示すように、穀粒取出樋２８を構成するにあたり、混合米流路２３の傾斜上端部を玄米流路２１の上端部よりも揺上側に位置させた構成においても、混合米流路２３の玄米流路２１の上端から揺上側に延長している上端延長部２３ａを切替レバー２９で上下方向に回動する構成としてもよい。このように構成すると、玄米仕切板１８で幅広く仕切る高能率選別時には、上端延長部２３ａを下方に回動調節することにより、玄米揺上側案内板２０ａを急傾斜にして玄米を円滑に流下案内することができて、玄米を確実に玄米流路２１に案内することができる。
【００２３】
また、玄米仕切板１８を幅の広い仕切り位置に移動させて選別能率を向上させた場合には、玄米仕切板１８の移動に関連してモ−タ（図示省略）を正転させて上端延長部２３ａを下方に回動し、また、幅の狭い仕切り位置ではモ−タを逆転させて、上端延長部２３ａを上方へ復帰させる構成としてもよい。このように構成すると、玄米仕切板１８で仕切られた混合米を混合米流路２３に流下案内すると共に、玄米仕切板１８の揺上側で仕切った玄米を玄米流路２１にも円滑に流下案内できる。
【００２４】
次に、図８に基づき玄米揚穀機５の他の実施例について説明する。
玄米揚穀機５を構成するにあたり、揚穀羽根５ａの内装されている下部ケ−ス５ｂに、揚穀筒５ｃを連設し、揚穀筒５ｃの側部には目抜き板３０を介して吸塵筒３１を設け、吸塵筒３１の終端側を吸引フアン１３の吸入部に連通している。しかして、揚穀羽根５ａの揚穀時に発生した糠は、揚穀途中に目抜き板３０から吸塵されて除去されて、きれいな玄米を取り出すことができる。なお、揚穀筒５ｃに吸塵筒３１を連設するにあたり、この実施例では揚穀筒５ｃの後側（図面右側）に連設しているが、前側あるいは左右方向の側部（紙面に直交する方向）に連設してもよい。また、目抜き板３０を網としてもよい。
【図面の簡単な説明】
【図１】全体の切断側面図
【図２】一部切断した背面図
【図３】側面図
【図４】平面図
【図５】要部の正面図
【図６】従来装置の要部を示す正面図
【図７】要部の正面図
【図８】側面図、背面図
【符号の説明】
１…籾摺部，２…摺落米風選部，３…揺動選別部，４…混合米揚穀機，５…玄米揚穀機，６…籾ホッパ，７…籾摺ロール，８…籾摺室，９…摺落米風選箱，１０…摺落米風選路，１１…粃受樋，１２…摺落米受樋，１３…吸引フアン，１４…排塵筒，１５…揺動選別板，１６…分配供給樋，１７…分配ケース，１８…玄米仕切板，１９…籾仕切板，２０…穀粒案内板，２０ａ…玄米揺上側案内板，２０ｂ…混合米揺下側案内板，２０ｃ…第２混合米揺下側案内板，２１…玄米流路，２２…混合米取出樋，２３…混合米流路，２３ａ…上端延長部２３ａ，２３ｂ…  ２３ｂ  ，２３ｃ…２３ｃ  ，２４…混合米ホッパ，２５…籾取出樋，２６…籾流路，２７…籾揚穀機，２８…穀粒取出樋，２９…切替レバー，３０…目抜き板，３１…吸塵筒
【図１】
0003666165.tif 000002
【図２】
0003666165.tif 000003
【図３】
0003666165.tif 000004
【図４】
0003666165.tif 000005
【図５】
0003666165.tif 000006
【図６】
0003666165.tif 000007
【図７】
0003666165.tif 000008
【図８】
0003666165.tif 000009